(57)【要約】【課題】肩凝りの誘発を防げ、全体的に表に現われず、ベルトを要しないズボンにも適用可能で着脱の容易なズボンのずり落ち防止具を構成する。【解決手段】上横梁１０と、上横梁１０の両端寄りから相平行する直角方向に伸びる左右の支柱軸１１ａ，１１ｂと、支柱軸１１ａ，１１ｂの各軸線を両端の巻き環１２ａ，１２ｂでスライド可能に抱えて支柱軸１１ａ，１１ｂの軸線間に橋絡する挟み桟１２とから、上着衣の布地をズボンの腰回り付近で上横梁１０と挟み桟１２とで挟込み保持する上着衣に対する止め部１を形成すると共に、支柱軸１１ａ，１１ｂと所定の間隔を隔て支柱軸１１ａ，１１ｂの軸端より立ち上がるフック軸２０から、腰裏地の内側に差込み係止するズボンに対する止め部２を形成した。【選択図】図１
2006183177.tif 000002
【特許請求の範囲】
【請求項１】
上着衣とズボンとの間に掛渡し装身するズボンのずり落ち防止具であって、上横梁と、上横梁の両端寄りから相平行する直角方向に伸びる左右の支柱軸と、支柱軸の各軸線を両端の巻き環でスライド可能に抱えて支柱軸の軸線間に橋絡する挟み桟とから、上着衣の布地をズボンの腰回り付近で上横梁と挟み桟とで挟込み保持する上着衣に対する止め部を形成すると共に、支柱軸と所定の間隔を隔て支柱軸の軸端より立ち上がるフック軸から、腰裏地の内側に差込み係止するズボンに対する止め部を形成してなることを特徴とするズボンのずり落ち防止具。
【請求項２】
挟み桟の板厚に略相応する間隔を保って下向きに張り出す前後の受け縁を上横梁に設け、挟み桟を支柱軸の縦中心線に沿ってスライド可能に橋絡し、上着衣の布地を受け縁の間隔内に嵌り合う挟み桟で挟込み保持する上着衣に対する止め部を形成してなることを特徴とする請求項１に記載のズボンのずり落ち防止具。
【発明の詳細な説明】
【技術分野】
【０００１】
本発明は、上着衣とズボンとの間に掛渡し装身するズボンのずり落ち防止具に関するものである。
【背景技術】
【０００２】
一般に、ズボンのずり落ち防止具としてはズボンの上端縁をくわえ込む鰐口クリップを肩掛けバンドのベルト端に取り付けたサスペンダーが用いられている。
【０００３】
そのサスペンダーは、ズボンを両肩に回す肩掛けバンドで吊上げ支持するもので、肩凝りを誘発し易い。また、肩掛けバンドを上着衣の外側に掛けるものであるから、背広等の外着衣を脱ぐと、肩掛けバンドを含む全体が表に現れるようになる。
【０００４】
本願出願人は、肩凝りの誘発を防げると共に、略表に現われない装身具として二個組で腹部両脇に取り付けることから、ワイシャツ，ポロシャツ等の上着衣とズボンのベルトとの間に掛渡し装身するズボンのずり落ち防止具を先に提案した（特許文献１）。
【０００５】
そのズボンのずり落ち防止具は、上横梁と、上横梁の両端寄りから相平行する直角方向に伸びる左右の支柱軸と、支柱軸の軸線を両端の巻き環でスライド可能に抱えて支柱軸の軸線間に橋絡する挟み桟と、支柱軸の各軸端をＵ字状に折り曲げたフック軸とからなり、上着衣の布地をズボンの腰回り付近で上横梁と挟み桟とで挟込み保持すると共に、フック軸をベルトの内側から下部縁に掛け止めてズボンを吊れるよう構成されている。
【０００６】
そのズボンのずり落ち防止具では、肩に掛ける部材がないから肩凝りの誘発を防げると共に、上横梁，挟み桟が上着衣の布地で巻き込まれ、支柱軸がベルトの内側に挟み込まれるため、装身具として略表に現われない。唯、フック軸をズボン用のベルトに引っ掛けるものであるから、ベルトの着用が必須であると共に、フック軸の先端側が一部表に露出する。
【特許文献１】特開２００４−３３２１３５号公報
【発明の開示】
【発明が解決しようとする課題】
【０００７】
本発明は、肩凝りの誘発を防げることは勿論、全体が装身具として表に現われず、ベルトを着用しないズボンにも適用可能で着脱の容易なズボンのずり落ち防止具を提供することを目的とする。
【０００８】
それに加えて、上着衣に対する止めと共に、全体の装身状態を確実に保てるズボンのずり落ち防止具を提供することを目的とする。
【課題を解決するための手段】
【０００９】
本発明の請求項１は、上横梁と、上横梁の両端寄りから相平行する直角方向に伸びる左右の支柱軸と、支柱軸の各軸線を両端の巻き環でスライド可能に抱えて支柱軸の軸線間に橋絡する挟み桟とから、上着衣の布地をズボンの腰回り付近で上横梁と挟み桟とで挟込み保持する上着衣に対する止め部を形成すると共に、支柱軸と所定の間隔を隔て支柱軸の軸端より立ち上がるフック軸から、腰裏地の内側に差込み係止するズボンに対する止め部を形成してなることを特徴とする。
【００１０】
本発明の請求項２は、挟み桟の板厚に略相応する間隔を保って下向きに張り出す前後の受け縁を上横梁に設け、挟み桟を支柱軸の縦中心線に沿ってスライド可能に橋絡し、上着衣の布地を受け縁の間隔内に嵌り合う挟み桟で挟込み保持する上着衣の止め部を形成してなることを特徴とする。
【発明の効果】
【００１１】
本発明の請求項１に係るズボンのずり落ち防止具では、上着衣の布地をズボンの腰回り付近で上横梁と挟み桟とで挟込み保持する上着衣に対する止め部と、フック軸を腰裏地の内側に差込み係止するズボンに対する止め部とから上着衣の裾付近とズボンの腰裏地との間に掛渡し装身するものであるため、肩に掛ける部材がなく、肩凝りの誘発を防げると共に、上横梁，挟み桟が上着衣の布地で巻き込まれ、支柱軸，フック軸がズボンの内側に隠れるところから、具全体が表に現われない。また、フック軸を腰裏地の内側に差込み係止するものであるため、ズボン用のベルトを着用していなくても用いられる。
【００１２】
本発明の請求項２に係るズボンのずり落ち防止具では、上着衣の布地を受け縁の間隔内に嵌り込む挟み桟で挟込み保持する上着衣の止め部を有するものであるから、上着衣の布地を確実に挟持でき、腰裏地の内側に差込み係止するフック軸と共に全体的に外れないよう止められる。
【発明を実施するための最良の形態】
【００１３】
図１は、第１の形態に係るズボンのずり落ち防止具を示す。このズボンのずり落ち防止具は、上着衣の布地を挟込み保持する上着衣に対する止め部１（以下、「上着衣の止め部」という。）と、ズボンの胴回りに縫い付けられる腰裏地の内側に差込み係止するズボンに対する止め部２（以下、「ズボンの止め部」という。）とから形成されている。
【００１４】
上着衣の止め部１は、上横梁１０と、上横梁１０の両端寄りから相平行する直角方向に伸びる左右の支柱軸１１ａ，１１ｂと、支柱軸１１ａ，１１ｂの軸線を両端の巻き環１２ａ，１２ｂでスライド可能に抱えて支柱軸１１ａ，１１ｂの軸線間に橋絡する挟み桟１２と、支柱軸１１ａ，１１ｂの各軸端から相対する内側方向に折れ曲がる端末軸１３ａ，１３ｂとから形成されている。
【００１５】
上横梁１０は４ｃｍ程度の横長寸法を有するもので、図２で示すように金属板材をプレス成形することから両端の閉塞した断面下向きＵ字状を呈する冠金状に形成されている。支柱軸１１ａ，１１ｂは５ｃｍ程度の突出長さを持って上横梁１０から伸びるもので、軸相互を横軸部１１ｃで連続したコの字状に形成することにより端末軸１３ａ，１３ｂを含んで３ｍｍ程度の直径を有する一本の金属棒材から折曲げ形成されている。
【００１６】
支柱軸１１ａ，１１ｂは、横軸部１１ｃを上横梁１０のＵ字内に嵌着することにより上横梁１０の両端寄りから直角方向に伸びるよう組付け固定されている。挟み桟１２は、後述する受け縁の相対間隔と略相応する板厚を有する金属製の細帯板材でなり、両端側を湾曲曲げした円形状の巻き環１２ａ，１２ｂにより支柱軸１１ａ，１１ｂの軸線を抱えることから支柱軸１１ａ，１１ｂの縦中心線に沿ってスライド可能に取り付けられている。
【００１７】
上述した構成に加えて、上横梁１０には挟み桟１２を嵌込み可能な前後の受け縁１４ａ，１４ｂが設けられている。この受け縁１４ａ，１４ｂは、支柱軸１１ａ，１１ｂの相対間隔とほぼ同じ横長寸法を持って薄い金属板材を断面コの字状に折り曲げたものでなり、コの字の橋絡辺側から上横梁１０のＵ字内に嵌着することにより挟み桟１２の板厚に略相応する間隔を保って下向きに張り出すよう組付け固定されている。
【００１８】
その受け縁１４ａ，１４ｂは、両端側下縁を中央側に向かって円弧状に切り欠くことから挟み桟１２の巻き環１２ａ，１２ｂと当接しないよう形成されている。また、突端辺が切断端をなくし、且つ、相対間隔に嵌り込む挟み桟１２を強固に保持するよう玉縁状に折返し曲げされている。
【００１９】
ズボンの止め部２は、１．５ｍｍ程度の直径を有する金属棒材をコの字状に折り曲げた枠状のフック軸２０で形成されている。このフック軸２０は、両端の絡止め部２１ａ，２１ｂを端末軸１３ａ，１３ｂの軸線上にカシメ止めすることから、支柱軸１１ａ，１１ｂと所定の間隔Ｗ（図２参照）を隔てて支柱軸１１ａ，１１ｂの軸端より立ち上がるよう上着衣の止め部１と一体に組付け固定されている。
【００２０】
このように構成するズボンのずり落ち防止具は、上着衣の布地をズボンの腰回り付近で上着衣の止め部１を形成する上横梁１０と挟み桟１２とで挟込み保持すると共に、ズボンの止め部２を形成するフック軸２０を腰裏地の内側に差込み係止することから上着衣の裾付近とズボンの腰裏地との間に掛渡し装身するものとして用いられる。
【００２１】
その取付け手順を説明すると、まず、図３ａで示すように挟み桟１２を支柱軸１１ａ，１１ｂの軸線上でスライド移動させて上横梁１０から離間し、上着衣Ｙの布地をズボンの腰回りに相当する裾付近で摘んで上横梁１０の上に被せるよう挟み桟１２との間に巻き込む。
【００２２】
次いで、挟み桟１２を上横梁１０と近接するよう支柱軸１１ａ，１１ｂの軸線上でスライド移動させ（破線矢印参照）、挟み桟１２を受け縁１４ａ，１４ｂの間隔内に嵌め込む。これにより、図３ｂで示すように挟み桟１２が上着衣Ｙの布地を受け縁１４ａ，１４ｂの間隔内に曲げ込んで上横梁１０とで確りと挟持できる。
【００２３】
次に、ズボンをスライドファスナで開いたまま、図４で示すようにフック軸２０をズボンＰの表地と腰裏地Ｕとの間，即ち、腰裏地Ｕの内側で上向きに差込み挿置する。これにより、上着衣の止め部１が掛下げ支点となり、ズボンの止め部２がズボンＰの腰裏地Ｕを係止することから、ズボンのずり落ち防止具として装身できる。
【００２４】
このような手順により、上着衣の布地を止め部１で挟持すると共に、ズボンの腰裏地を止め部２で係止することから、図５で示すように着用者の脇腹付近で左右対に装備すればよい。その後に、ズボンをスライドファスナで閉めて着衣すればよい。上述した手順は一例を示したものであり、上着衣の止め部１とズボンの止め部２とを逆の手順で組み付けるようにもできる。
【００２５】
そのズボンのずり落ち防止具では、肩に掛ける部材がないから、肩凝りの誘発を防げるばかりでなく、上横梁１０，挟み桟１２が上着衣Ｙの布地で巻き込まれ、支柱軸１１ａ，１１ｂ、フック軸２０を含む具全体がズボンＰの内側に隠れるところから、具全体が表に現われない。また、ズボンの止め部２を腰裏地Ｕの内側に係止するものであるため、ズボン用のベルトを着用していなくても用いるようにできる。
【００２６】
上述したズボンのずり落ち防止具は冠金状の上横梁１０を備えて構成したが、支柱軸１１ａ，１１ｂ連続する横軸部１１ｃを上横梁としても形成するようにできる。但し、冠金状の上横梁１０によれば体裁上良好なものに構成できると共に、上述した如く上着衣Ｙの布地を受け縁１４ａ，１４ｂに嵌入する挟み桟１２で確りと挟持可能に構成できる。
【００２７】
第１の形態に係るズボンのずり落ち防止具においては、ズボンの止め部２を上着衣の止め部１と別体ものから形成したが、それに代えて、図６，図７で示すようにズボンの止め部２１，２２を支柱軸１１ａ，１１ｂと連続曲げすることによっても形成できる。この連続ものでは、上述した横軸部１１ｃを端末側として折曲げ形成すればよい。
【００２８】
ズボンの止め部２１は、図６で示すように支柱軸１１ａ，１１ｂの各下端から相対する内側方向に折れ曲がる内のり軸２２ａ，２２ｂを設け、その内のり軸２２ａ，２２ｂから斜め上方に立ち上がるフック軸２０をコの字状に折り曲げることにより形成されている。
【００２９】
ズボンの止め部２２は、図７で示すように支柱軸１１ａ，１１ｂの各下端から相対する内方に一巻き弯曲したリング軸２３ａ（２３ｂ）を設け、そのリング軸２３ａ（２３ｂ）から上方に立ち上がるフック軸２０をコの字状に折り曲げることにより形成されている。
【図面の簡単な説明】
【００３０】
【図１】本発明の一例に係るズボンのずり落ち防止具を示す正面図である。
【図２】図１のズボンのずり落ち防止具をＡ−Ａ線で示す断面図である。
【図３ａ】図１のズボンずり落ち防止具を上着衣に組み付ける初期状態の手順を示す説明図である。
【図３ｂ】図３ａに引き続いて上着衣の布地を上着衣の止め部で挟持した状態を示す説明図である。
【図４】図３ｂに引き続いてズボンの止め部をズボンの腰裏地に組み付ける手順を示す説明図である。
【図５】図１のズボンのずり落ち防止具を装身状態で示す説明図である。
【図６】本発明の別の例に係るズボンのずり落ち防止具を示す斜視図である。
【図７】本発明の更に別の例に係るズボンのずり落ち防止具を示す斜視図である。
【符号の説明】
【００３１】
１            上着衣の止め部
１０            上横梁
１１ａ，１１ｂ  支柱軸
１２            挟み桟
１２ａ，１２ｂ  挟み桟の巻き環部
１４ａ，１４ｂ  受け縁
２              ズボンの止め部
２０            フック軸
Ｙ              上着衣
Ｐ              ズボン
Ｕ              ズボンの腰裏地
【図１】
2006183177.tif 000003
【図２】
2006183177.tif 000004
【図３ａ】
2006183177.tif 000005
【図３ｂ】
2006183177.tif 000006
【図４】
2006183177.tif 000007
【図５】
2006183177.tif 000008
【図６】
2006183177.tif 000009
【図７】
2006183177.tif 000010